(57)【特許請求の範囲】
【請求項１】
患者の口腔内の歯科インプラントのための位置捕捉デバイスであって、
軸部（２４）を有する細長いトランスファーポスト（１４）と、歯科インプラント界面と、歯科インプラントネジを受け入れる穴（１８）とをそれぞれ備える複数の位置捕捉ユニット（１２）と、
互いに対するその位置を固定するために前記複数の位置捕捉ユニット（１２）を相互連結するキャリアユニット（３０）とを有しており、
前記キャリアユニット（３０）は少なくとも１つのキャリア要素（３２）および少なくとも２つの固定要素（３４）を備え、
前記少なくとも２つの固定要素（３４）の各々は前記キャリア要素（３２）に装着するための締結要素（３６）と、前記トランスファーポスト（１４）の前記軸部（２４）に解除可能に締結するための軸部受け要素（３８）とを有し、前記少なくとも２つの固定要素（３４）のうち少なくとも１つの固定要素（３４）の締結要素（３６）は前記キャリア要素（３２）に枢動可能かつロック可能に装着されることができ、
前記軸部受け要素（３８）および前記締結要素（３６）は互いに回転可能なように連結され、前記軸部受け要素（３８）間の互いに対する距離は調整可能であり、
前記トランスファーポスト（１４）は、２つの部分（１６、２０）で実現され、第１部分（１６）は前記歯科インプラント界面と前記歯科インプラントネジを受け入れる前記穴（１８）とを備え、第２部分（２０）は前記軸部受け要素（３８）に装着可能な前記軸部（２４）を備え、 前記第１部分（１６）および前記第２部分（２０）は、所定の第２界面を介して、解除可能に連結可能であり、
前記２つの部分（１６、２０）の解除可能な固定を可能にするネジ（２６）が、前記第２界面の付近に設けられている、位置捕捉デバイス。
【請求項２】
前記軸部受け要素（３８）はスリーブまたはクリップの形で実現され、前記軸部（２４）に嵌合可能かつ締着可能である、請求項１に記載の位置捕捉デバイス。
【請求項３】
前記軸部（２４）は、その長手方向の延長部に関し、前記軸部受け要素（３８）を受け入れるように形成されている、請求項１または請求項２に記載の位置捕捉デバイス。
【請求項４】
前記キャリア要素（３２）はロッドを備え、前記固定要素（３４）の前記締結要素（３６）は、前記ロッドに沿った移動、前記ロッドの前記長手軸に対して垂直な軸を中心とした回転または枢動、および前記ロッドへの締着の少なくともいずれかの操作を可能にするために、スリーブまたはクリップの形態で実現される、請求項１〜請求項３のいずれか１項に記載の位置捕捉デバイス。
【請求項５】
前記トランスファーポスト（１４）の前記第１部分（１６）は前記第２界面としての外側六角形部（１９）を備え、前記トランスファーポスト（１４）の前記第２部分（２０）は、前記第２界面としての内側六角形部（２２）と前記２つの部分（１６、２０）を固定する前記ネジ（２６）とを備える、請求項４に記載の位置捕捉デバイス。
【請求項６】
前記トランスファーポスト（１４）は、前記歯科インプラント界面に相対して配置されるその上端部に、スキャンボディ用の受け領域（２８）を備える、請求項１〜請求項５のいずれか１項に記載の位置捕捉デバイス。
【請求項７】
前記少なくとも１つの固定要素（３４）は移動可能なように前記キャリア要素（３２）に装着されて、別の固定要素は移動不可能なように前記キャリア要素に装着されている、請求項１〜請求項６のいずれか１項に記載の位置捕捉デバイス。
【発明の詳細な説明】
【技術分野】
【０００１】
本発明は、患者の口腔内の歯科インプラントのための位置捕捉デバイスならびに該位置捕捉デバイス用の位置捕捉ユニットおよび位置捕捉デバイス用のキャリアユニットに関する。
【背景技術】
【０００２】
義歯を製作する場合、通常、患者の患部下顎および／または上顎の模型を作成する。いわゆる歯科インプラントアナログは、顎骨に固定される患者の歯科インプラントをシミュレートするためのものであり、たとえば、前記模型で使用する。歯科インプラントアナログは、特にその角度方向と別の歯科インプラントアナログに対するアライメントとに関して、患者の口腔内の位置と正確に合致することが極めて重要である。これをチェックするために、患者の口腔内における歯科インプラントのアライメントを検知し、模型との比較を可能にすることのできる位置捕捉デバイスが使用される。
【発明の概要】
【発明が解決しようとする課題】
【０００３】
該位置捕捉デバイスを使用するとき、簡単な取り扱いのできることが極めて重要である。
【０００４】
そのため、本発明の目的は、以下の特に患者の口腔内の狭い空間でも、歯科医が取り扱うのが簡単な位置捕捉デバイスを制作することにある。
【課題を解決するための手段】
【０００５】
本発明の目的は、患者の口腔内の歯科インプラント用位置捕捉デバイスによって達成される。前記位置捕捉デバイスは、軸部を有する細長いトランスファーポストと、歯科インプラント界面と、歯科インプラントネジを受け入れる穴とをそれぞれ備える複数の位置捕捉ユニットと、互いに対してその位置を固定するために複数の位置捕捉ユニットを相互連結するキャリアユニットとを有し、前記キャリアユニットは少なくとも１つのキャリア要素および少なくとも２つの固定要素を備え、各固定要素はキャリア要素に枢動可能かつロック可能に装着するための締結要素と、トランスファーポストの軸部に解除可能に締結するための軸部受け要素とを備え、前記軸部受け要素および締結要素は回転可能なようにまとめて連結し、前記軸部受け要素間の互いに対する距離は調整可能である。
【０００６】
前記位置捕捉デバイスによって、顎骨に挿入される歯科インプラントの位置を歯科医が記録することが簡単になる。このための歯科インプラントネジによって、トランスファーポストを歯科インプラントに締め付ける。次いで、キャリアユニットを挿入して固定する。キャリアユニットは２つの隣接するトランスファーポストを連結する。２つの軸部受け要素をトランスファーポストに嵌め込むかまたは差し込むだけでよいので、歯科医にとって挿入は非常に簡単である。前記処置を別の隣接する歯科インプラントについて繰り返し、それぞれの場合においてキャリアユニットが２つの隣接する歯科インプラントを連結するようにする。
【０００７】
必要なすべてのキャリアユニットをトランスファーポストに締結したとき、キャリアユニットおよび位置捕捉ユニットから製作される前記ユニット全体を患者の口から取り出すことができる。次いで、キャリアユニットは、トランスファーポストの互いに対するポジショニングを正確に維持して、歯科インプラントアナログの位置との照合が可能なようにすることを確実にする。
【０００８】
別の実施形態の場合、トランスファーポストは２つの部分で実現され、第１部分は歯科インプラント界面と歯科インプラントネジを受け入れる穴とを備え、第２部分は軸部受け要素に装着可能な軸部を備える。好適な態様において、第１部分および第２部分は所定の第２界面を介して解除可能にまとめて連結可能である。別の好適な態様において、２つの部分の解除可能な固定を可能にするネジが、第２界面の付近に設けられる。
【０００９】
前記措置の利点は、トランスファーポストの挿入および歯科インプラントへの締結、ならびに位置捕捉デバイス全体の取り外しの両方が明らかに簡単になることである。
【００１０】
トランスファーポストの挿入は、この場合、２ステップで実施される。すなわち、第一に、歯科インプラントに歯科インプラントネジによって連結される第１部分の挿入である。第２のステップでは、所定の第２界面を介して、好ましくはインデキシングを実現する第２部分を第１部分に嵌め込んで、たとえば、締着する。
【００１１】
位置捕捉デバイスを取り外すとき、たとえば、相互連結されている第２部分を取り外すために、第１部分と第２部分との間の締着が解かれる。次いで、歯科インプラントネジを緩める結果として、残りの第１部分が取り外されて、患者の口腔外で関連する第２部分に再締結する。
【００１２】
別の展開の場合、軸部受け要素はスリーブまたはクリップの形態で実現され、軸部に嵌合可能かつ締着可能である。
【００１３】
前記解決策は構造的に実行するのが簡単で、軸部での軸部受け要素の簡単な移動だけでなく、軸部の長手軸を中心とした回転も可能にする。
【００１４】
別の展開の場合、少なくとも２つの軸部受け要素を受け入れるために、軸部はその長手方向の延長部に関して実現される。
【００１５】
すでに前述したように、２つの隣接する位置捕捉ユニットは、それぞれの場合において、１つのキャリアユニットによって相互連結されている。すなわち、隣接する両方の位置捕捉ユニットに連結できるようにするためには、あるトランスファーポストが２つのキャリアユニットの２つの軸部受け要素を受け入れなければならない。
【００１６】
別の展開の場合、キャリア要素はロッドを備え、少なくとも１つの固定要素の締結要素は、ロッドに沿った移動、好ましくはロッドの長手軸に対して垂直な軸を中心とした回転または枢動、およびロッドへの締着が可能なように、スリーブまたはクリップの形態で実現される。
【００１７】
キャリア要素上の固定要素間の距離を互いに対して調整可能にする必要がある。このために、両固定要素を移動可能なようにキャリア要素に装着するか、または一方の固定要素のみを移動可能なように装着して他方の固定要素をキャリア要素に固定して装着する。いずれの場合も、固定要素間の距離は互いに対して変えることができる。
【００１８】
別の実施形態の場合、トランスファーポストの第１部分は第２界面として外側六角形部を備え、トランスファーポストの第２部分は第２界面および２つの部分を固定するネジとして内側六角形部を備える。
【００１９】
前記措置は、特に、２つの部分に互いに対する回転防止機構を提供するため、有利であることが証明されている。
【００２０】
別の実施形態の場合、トランスファーポストは、歯科インプラント界面に相対して配置されるその上端部に、スキャンボディ用の受け領域を備える。
【００２１】
前記措置の利点は、スキャンボディを導入することによって、その後のトランスファーポストのアライメントおよび位置の光学スキャンを可能にする所定の受け口が存在することである。
【００２２】
別の実施形態の場合、１つの固定要素が移動可能なようにキャリア要素に装着されて、別の固定要素が移動不可能なようにキャリア要素に装着されている。
【００２３】
本発明の目的は、前述した種類の位置捕捉デバイス用の位置捕捉ユニットによっても達成される。前記位置捕捉ユニットは、軸部を有する細長いトランスファーポストと、歯科インプラント界面と、歯科インプラントネジを受け入れる穴とを備える。前記トランスファーポストは２つの部分で実現され、前記第１部分は前記歯科インプラント界面と前記歯科インプラントネジを受け入れる穴とを備え、前記第２部分は軸部受け要素を装着可能な軸部を備え、前記第１部分および前記第２部分は所定の第２界面を介して解除可能に相互連結可能である。
【００２４】
このような位置捕捉ユニットの利点はすでに上記で説明したので、さらなる詳細は記載する必要はない。このような位置捕捉ユニットの別の可能な展開もすでに上記で説明している。
【００２５】
本発明の根底にある目的は、複数の位置捕捉ユニットをまとめて連結するために冒頭で挙げた種類の位置捕捉デバイス用のキャリアユニットによっても達成される。前記キャリアユニットは好ましくはロッド形キャリア要素および少なくとも２つの固定要素を備え、各固定要素はキャリア要素に枢動可能かつロック可能に装着するための締結要素と、トランスファーポストの軸部に解除可能に締結するための軸部受け要素とを備え、前記軸部受け要素および前記締結要素は回転可能なようにまとめて連結されている。
【００２６】
このようなキャリアユニットの利点は、別の可能な展開も有すると、すでに上記で説明している。
【００２７】
上記で挙げた特徴およびこれから以下で説明する特徴は、それぞれ記載される組み合わせだけでなく、本発明の枠組みから逸脱することなく、他の組み合わせまたは単独でも使用できるであることは明らかである。
【図面の簡単な説明】
【００２８】
【図１】位置捕捉デバイスのさまざまな構成要素を示す図である。
【図２】合計３つのトランスファーポストを連結するために２つのキャリアユニットを備える位置捕捉デバイスを示す。
【図３】４つのトランスファーポストを連結するために３つのキャリアユニットを備える位置捕捉デバイスを示す。
【図４】図３による位置捕捉デバイスを別の視点から示す。
【図５】キャリアユニットを嵌めた状態の位置捕捉ユニットの上部を示す詳細図である。
【図６】スキャンボディを挿入した状態の位置捕捉デバイスを示す。
【図７】キャリアユニットの詳細図を示す。
【図８】複数の構成要素を備える位置捕捉デバイスの別の図を示す。
【図９】歯科インプラントアナログを取り付けた模型および挿入されている位置捕捉デバイスを示す。
【図１０】図９による位置捕捉デバイスを別の視点から示す。
【発明を実施するための形態】
【００２９】
本発明の具体的な利点および構成は、説明および添付の図面から提示される。
【００３０】
位置捕捉デバイスが図１に示されており、参照符号１０によって特定されている。位置捕捉デバイス１０は複数の位置捕捉ユニット１２を備え、それによって患者の顎に挿入する歯科インプラント６０の位置を記録することができる。図１に示す歯科インプラント６０は、顎の模型に挿入される歯科インプラントアナログである。
【００３１】
位置捕捉ユニット１２はそれぞれが、２つの部分で実現される細長いトランスファーポスト１４を備える。下部１６は歯科インプラント６０との界面を備え、歯科インプラントネジによって公知の態様で歯科インプラント６０に締結することができる。下部１６はこのための穴１８を備え、その穴に歯科インプラントネジを挿入することができる。下部１６は直線的にまたはある角度で（傾斜して）延びることができる。
【００３２】
下部１６の上部に、界面として機能し、トランスファーポストの他の上部２０へのインデキシングによる連結に役立つ外側六角形１９が設けられている。前記上部２０はその下端部に、界面として機能し、下部１６の外側六角形１９と相互作用する内側六角形２２を備える。上部２０は、さらに、断面が円形で実現され、好適には長手方向に同じ直径を有する円筒形軸部２４を備える。
【００３３】
たとえば締着によって、上部２０を下部１６に固定可能なローレットネジ２６が、内側六角形２２の付近に設けられている。
【００３４】
最後に、上部２０はその上端部に、六角形として実現されて、スキャンボディの締結に役立つ受け領域２８を備える。
【００３５】
位置捕捉デバイスは、さらに、参照符号３０で特徴付けられるキャリアユニットを備える。前記キャリアユニット３０は、基本的には、位置捕捉ユニットの相互連結されているトランスファーポストの位置およびアライメントが固定されたままで、患者の口腔内の位置およびアライメントを患者の口腔外の模型に転写することができるように、２つの隣接する位置捕捉ユニット１２を連結する目的に役立つ。
【００３６】
キャリアユニット３０は、このために、好ましくはロッド状のキャリア要素３２と２つの固定要素３４とを含む。
【００３７】
２つの固定要素３４はキャリア要素３２に、これらの間の距離を変えることができるように装着されている。この実施形態では、固定要素のうちの一方はキャリア要素に固定して装着され、他方の固定要素３４はキャリア要素に沿って移動可能である。
【００３８】
固定要素３４は２つの部分で設計され、締結要素３６および軸部受け要素３８を含む。両要素３４、３６は、好適な態様ではキャリア要素３２の長手軸に垂直な軸を中心に回転可能なように、連結されまとめられている。
【００３９】
締結要素３４は好適な態様ではスリーブまたはクリップの形態で実現され、キャリア要素３２を円周方向にほぼ完全に取り囲んでいる。締めることによってスリーブ形領域の直径を減じ、その結果締着させる締着用ネジ４０が、締結要素３６をキャリア要素３２に固定可能にするために設けられている。前記締結要素３６の正確な技術的構成は、図面ではっきり見ることができる。
【００４０】
軸部受け要素３８も同様に実現され、トランスファーポスト１４の軸部２４に差し込まれるように実現されるスリーブ形またはクリップ形部４２を有する。締着プロセスに必要なスリーブ形部の直径の縮小も、締着用ネジ４０によって実行される。
【００４１】
これに加えて、締着用ネジ４０は締結要素と軸部受け要素３６、３８との回転可能な連結に役立つ。
【００４２】
さらに、このようなキャリアユニット３０は、２つの隣接する位置捕捉ユニット１２、特にトランスファーポスト１４の上部２０間の連結を可能にする。このために、キャリアユニット３０の軸部受け要素３８は上からトランスファーポストの軸部２４に嵌め込まれ、これはトランスファーポスト間の距離およびトランスファーポストのアライメントとは関係なく可能である。締結要素３６に対する軸部受け要素３８の回転可能な配列、２つの固定要素３４間の距離を互いに対して調整できること、および締結要素３６がキャリア要素３２上で回転できることは、任意の非常に柔軟な調整を可能にする。締結するため、つまりキャリアユニット３０をトランスファーポスト１２に固定するためには、２つの締着用ネジ４０を、いったん取り付けてしまえば、あとは締めるだけでよい。
【００４３】
図２は、複数の位置捕捉ユニット１２を連結するための複数のキャリアユニット３０を含む位置捕捉デバイス１０を示す。少なくとも２つの軸部受け要素３８は、２つの隣接するトランスファーポスト１２への連結が可能なように、１つのトランスファーポスト１２の軸部２４に嵌め込み可能であることがはっきりと見てとれる。
【００４４】
さらに図３から図１０は、さまざまなグルーピングおよびさまざまな斜視図における前述の位置捕捉デバイス１０を示す。しかし、位置捕捉ユニットの設計およびキャリアユニットの設計は、図示される実施形態においてすべて同じであり、同じ部品には同じ参照符号も用いている。
【００４５】
図６は、トランスファーポスト１４の受け領域２８に挿入されている別のスキャンボディ６２を示す。前記スキャンボディ６２は、患者の口腔外で、トランスファーポストの位置およびアライメントの光学的取得に役立つ。インプラントの補綴物を製作するための３Ｄファイルはこのように制作することができる。
【００４６】
位置捕捉デバイス１０を挿入するために、歯科医はまずトランスファーポスト１４の下部１６を歯科インプラント６０にねじ込む。
【００４７】
次いで、トランスファーポストの上部２０を、所定の界面を介して、インデキシングによって回転ロック方式で嵌め込み、ローレットネジ２６によって締結する。
【００４８】
次のステップで、キャリアユニット３０が挿入され、キャリアユニット３０の軸部受け要素３８が２つの隣接する軸部２４に嵌め込まれる。次いで、キャリアユニット３０が、２つの締着用ネジ４０によって締着されて、２つの軸部２４に固定される。前記キャリアユニット３０を挿入するステップは、すべての位置捕捉ユニット１２が連結されて、その結果、全体として管理可能なユニットになるまで、別の位置捕捉ユニット１２について繰り返される。
【００４９】
前記位置捕捉デバイス１０を取り外すために、歯科医は、相互連結されている上部２０を患者の口から取り出すことができるように、すべての位置捕捉ユニット１２のローレットネジ２６を緩める。次いで、下部１６を取り外し、関連する上部２０に再連結するが、互いに対するアライメント（長手軸に対する）はあらかじめマーキングされている。このように、位置捕捉デバイスは、患者の口腔内に存在する歯科インプラントの正確なアライメントおよび位置を提供し、その結果、模型のチェックまたは制作が可能になるようにする。
【００５０】
前述していない別の技術的特徴は、位置捕捉デバイス１０を詳細に示す詳細図から提示される。
【００５１】
すでに説明した模型のインプラントアナログの位置のチェックおよび補正の他に、インプラントアナログをトランスファーポストにネジ連結することも可能である。連結されているインプラントアナログを解除してしまえば、模型を製作するための口の印象のインプレッションポストに、該アナログをねじ込むことができる。その結果、インプレッションポストは、インプラントアナログを理想的な位置にした状態で模型を制作するように、印象材料で補正される。
【図１】
0006600736.tif 000002
【図２】
0006600736.tif 000003
【図３】
0006600736.tif 000004
【図４】
0006600736.tif 000005
【図５】
0006600736.tif 000006
【図６】
0006600736.tif 000007
【図７】
0006600736.tif 000008
【図８】
0006600736.tif 000009
【図９】
0006600736.tif 000010
【図１０】
0006600736.tif 000011